(57)【要約】【課題】  シリーズ番組コンテンツを構成する各話の番組コンテンツを適切なタイミングでダウンロードすることにより、記録容量を効率的に使用することができる放送受信装置およびその制御方法を提供する。【解決手段】  本発明の放送受信装置において、視聴予定スケジュール決定部１１２は、シリーズ番組コンテンツを構成する各話の番組コンテンツの視聴予定スケジュールを決定する。ダウンロードスケジュール決定部１１３は、第２回目の配信終了日時以降の視聴開始予定日時を有する番組コンテンツがシリーズ番組コンテンツに含まれている場合は、シリーズ番組コンテンツを構成する複数話の番組コンテンツを複数回に分けてダウンロードするようにダウンロードスケジュールを決定する。【選択図】  図１
2011087071.tif 000002
【特許請求の範囲】
【請求項１】
デジタル放送信号を利用して配信されるシリーズ番組コンテンツをダウンロードすることが可能な放送受信装置であって、
デジタル放送信号から取得される、前記シリーズ番組コンテンツの話数情報、前記シリーズ番組コンテンツを構成する各話の番組コンテンツの時間長を示す時間情報、前記シリーズ番組コンテンツが繰り返し一括で配信される配信開始日時および配信終了日時を示す配信スケジュール情報を記憶部に記憶する記憶手段と、
前記記憶部に記憶された前記話数情報、前記時間情報、および前記配信スケジュール情報に基づいて、前記シリーズ番組コンテンツを構成する各話の番組コンテンツの視聴開始予定日時および視聴終了予定日時を示す視聴予定スケジュールを決定する視聴予定スケジュール決定手段と、
前記記憶部に記憶された前記配信スケジュール情報、および前記視聴予定スケジュール決定手段により決定された視聴予定スケジュールに基づいて、第２回目の配信終了日時以降の視聴開始予定日時を有する番組コンテンツが前記シリーズ番組コンテンツに含まれている場合は、前記シリーズ番組コンテンツを構成する複数話の番組コンテンツを複数回に分けてダウンロードするように、各話の番組コンテンツのダウンロード開始日時を示すダウンロードスケジュールを決定するダウンロードスケジュール決定手段と、
前記ダウンロードスケジュール決定手段により決定されたダウンロードスケジュールに従って、前記シリーズ番組コンテンツを構成する各話の番組コンテンツをダウンロードするよう予約する予約手段とを備える放送受信装置。
【請求項２】
前記視聴予定スケジュール決定手段は、第１回目の配信終了日時を第１話の番組コンテンツの視聴開始予定日時として決定し、第Ｎ（Ｎは１以上の整数）話の番組コンテンツの視聴開始予定日時に所定の時間長を足した日時を、第Ｎ＋１話の番組コンテンツの視聴開始予定日時として決定することを特徴とする請求項１に記載の放送受信装置。
【請求項３】
前記所定の時間長は、第Ｎ話の番組コンテンツの時間長であることを特徴とする請求項２に記載の放送受信装置。
【請求項４】
前記ダウンロードスケジュール決定手段は、第２回目の配信の終了日時よりも早い視聴開始予定日時を有する番組コンテンツが前記シリーズ番組コンテンツに複数ある場合は、当該複数の番組コンテンツを第１回目の配信開始日時に一括でダウンロードするように、前記ダウンロードスケジュールを決定することを特徴とする請求項１から請求項３までのいずれか１項に記載の放送受信装置。
【請求項５】
前記ダウンロードスケジュール決定手段は、最後の配信の終了日時以降の視聴開始予定日時を有する番組コンテンツが１つ以上ある場合は、最後の配信の開始日時に当該番組コンテンツを一括でダウンロードするように、前記ダウンロードスケジュールを決定することを特徴とする請求項１から請求項３までのいずれか１項に記載の放送受信装置。
【請求項６】
デジタル放送信号を利用して配信されるシリーズ番組コンテンツをダウンロードすることが可能な放送受信装置の制御方法であって、
デジタル放送信号から取得される、前記シリーズ番組コンテンツの話数情報、前記シリーズ番組コンテンツを構成する各話の番組コンテンツの時間長を示す時間情報、前記シリーズ番組コンテンツが繰り返し一括で配信される配信開始日時および配信終了日時を示す配信スケジュール情報を記憶部に記憶する記憶ステップと、
前記記憶部に記憶された前記話数情報、前記時間情報、および前記配信スケジュール情報に基づいて、前記シリーズ番組コンテンツを構成する各話の番組コンテンツの視聴開始予定日時および視聴終了予定日時を示す視聴予定スケジュールを決定する視聴予定スケジュール決定ステップと、
前記記憶部に記憶された前記配信スケジュール情報、および前記視聴予定スケジュール決定ステップで決定された視聴予定スケジュールに基づいて、第２回目の配信終了日時以降の視聴開始予定日時を有する番組コンテンツが前記シリーズ番組コンテンツに含まれている場合は、前記シリーズ番組コンテンツを構成する複数話の番組コンテンツを複数回に分けてダウンロードするように、各話の番組コンテンツのダウンロード開始日時を示すダウンロードスケジュールを決定するダウンロードスケジュール決定ステップと、
前記ダウンロードスケジュール決定ステップで決定されたダウンロードスケジュールに従って、前記シリーズ番組コンテンツを構成する各話の番組コンテンツをダウンロードするよう予約する予約ステップとを備える放送受信装置の制御方法。
【発明の詳細な説明】
【技術分野】
【０００１】
本発明は、デジタル放送信号を利用して配信されるシリーズ番組コンテンツをダウンロードすることが可能な放送受信装置およびその制御方法に関する。
【背景技術】
【０００２】
２０１１年のアナログ放送終了後に開始予定の高度衛星デジタル放送において、衛星放送の高速伝送路を用いて番組コンテンツを受信装置内に高速にダウンロードする放送ダウンロードサービスの検討が進められている。衛星放送の高速伝送路を利用するため、高画質・高音質の番組コンテンツを短時間（番組の実時間長よりも短い時間）で高速（例：７０Ｍｂｐｓ程度）にダウンロードできることが期待されている。通信回線で用いられているＩＰ（インターネットプロトコル）を基盤とすることにより、衛星放送で配信される番組コンテンツも、通信回線で配信される番組コンテンツも、ユーザが意識することなく視聴できるようになる。また、ユーザは、受信装置内にダウンロードされた番組コンテンツを、いつでも見たいときに再生して視聴することが可能となる。
【０００３】
このような放送ダウンロードサービスでは、番組コンテンツを多数の放送受信装置へ一斉に配信するため、予めスケジュールされた配信期間内だけ番組コンテンツをダウンロード可能にするような運用が想定されている。ユーザが見たい番組コンテンツをダウンロードする機会を十分に確保するため、配信側はある一定期間内に同じ番組コンテンツを繰り返して配信することが望ましい。この場合、ユーザがダウンロードしたい番組コンテンツを選択してダウンロード予約すると、予約された番組コンテンツをダウンロードする日時を受信装置側でスケジューリングする運用形態が考えられる。
【０００４】
下記の特許文献１には、データダウンロード予約と番組予約が重複した場合に、番組予約の時刻と重複しない時刻にデータダウンロードするように、ダウンロード予約を再予約する技術が開示されている。
【先行技術文献】
【特許文献】
【０００５】
【特許文献１】特開２００４−１８７０３０号公報
【発明の概要】
【発明が解決しようとする課題】
【０００６】
高度衛星デジタル放送の放送ダウンロードサービスで配信される高画質・高音質の番組コンテンツは、データサイズがある程度大きいことが想定される。特に、連続する複数話の番組コンテンツで構成されるシリーズ番組コンテンツが一括で配信される場合、全話分の非常に大きなデータサイズの番組コンテンツを一括でダウンロードすると、受信装置内の残容量がその分少なくなってしまう。受信装置内の記録容量を効率的に使用するためには、ダウンロード予約された番組コンテンツを適切なタイミングでダウンロードするように、ダウンロードする日時をスケジューリング技術が求められる。一定期間内にシリーズ番組コンテンツが繰り返し一括で配信される場合、例えば、ユーザが視聴するペースを考慮して、シリーズ番組コンテンツを複数回に分けてダウンロードすると、受信装置内の記録容量を効率的に使用することができる。
【０００７】
そこで、本発明は、シリーズ番組コンテンツが繰り返し一括で配信される場合に、シリーズ番組コンテンツを構成する各話の番組コンテンツを適切なタイミングでダウンロードすることにより、記録容量を効率的に使用することができる放送受信装置およびその制御方法を提供することを目的とする。
【課題を解決するための手段】
【０００８】
上述した課題を解決するために、本発明に係る放送受信装置は、デジタル放送信号を利用して配信されるシリーズ番組コンテンツをダウンロードすることが可能な放送受信装置であって、デジタル放送信号から取得される、前記シリーズ番組コンテンツの話数情報、前記シリーズ番組コンテンツを構成する各話の番組コンテンツの時間長を示す時間情報、前記シリーズ番組コンテンツが繰り返し一括で配信される配信開始日時および配信終了日時を示す配信スケジュール情報を記憶部に記憶する記憶手段と、前記記憶部に記憶された前記話数情報、前記時間情報、および前記配信スケジュール情報に基づいて、前記シリーズ番組コンテンツを構成する各話の番組コンテンツの視聴開始予定日時および視聴終了予定日時を示す視聴予定スケジュールを決定する視聴予定スケジュール決定手段と、前記記憶部に記憶された前記配信スケジュール情報、および前記視聴予定スケジュール決定手段により決定された視聴予定スケジュールに基づいて、第２回目の配信終了日時以降の視聴開始予定日時を有する番組コンテンツが前記シリーズ番組コンテンツに含まれている場合は、前記シリーズ番組コンテンツを構成する複数話の番組コンテンツを複数回に分けてダウンロードするように、各話の番組コンテンツのダウンロード開始日時を示すダウンロードスケジュールを決定するダウンロードスケジュール決定手段と、前記ダウンロードスケジュール決定手段により決定されたダウンロードスケジュールに従って、前記シリーズ番組コンテンツを構成する各話の番組コンテンツをダウンロードするよう予約する予約手段とを備える。
【発明の効果】
【０００９】
本発明によれば、シリーズ番組コンテンツが繰り返し一括で配信される場合に、シリーズ番組コンテンツを構成する各話の番組コンテンツを適切なタイミングでダウンロードすることにより、記録容量を効率的に使用することが可能となる。
【図面の簡単な説明】
【００１０】
【図１】本発明の実施の形態１に係る放送受信装置の構成を示すブロック図である。
【図２】連続視聴モードに対応する視聴予定スケジュールの決定処理について説明するためのフロー図である。
【図３】連続視聴モードに対応する視聴予定スケジュールおよびダウンロードスケジュールについて説明するための図である。
【図４】１日１話視聴モードに対応する視聴予定スケジュールの決定処理について説明するためのフロー図である。
【図５】１日１話視聴モードに対応する視聴予定スケジュールおよびダウンロードスケジュールについて説明するための図である。
【図６】各視聴モードのダウンロードスケジュールの決定処理について説明するためのフロー図である。
【図７】ユーザに提示されるダウンロード予約画面の例を示す図である。
【図８】本発明の実施の形態１の変更例に係る放送受信装置の構成を示すブロック図である。
【発明を実施するための形態】
【００１１】
（実施の形態１）
図１は、本発明の実施の形態１に係る放送受信装置１００の構成を示すブロック図である。放送受信装置１００は、チューナ部１０１、分離部１０２、デコード部１０３、音声出力部１０４、合成部１０５、映像出力部１０６、ＵＩ制御部１０７、リモコン受信部１０８を備える。放送受信装置１００は、さらに、ダウンロード予約部１０９、記憶部１１１、視聴予定スケジュール決定部１１２、ダウンロードスケジュール決定部１１３、蓄積制御部１１４、蓄積部１１５、および再生制御部１１６を備える。
【００１２】
チューナ部１０１は、アンテナを介してデジタル放送信号を受信する。このデジタル放送信号としては、例えば高度衛星デジタル放送に係るデジタル放送信号を想定している。チューナ部１０１は、受信したデジタル放送信号に対して、復調、誤り訂正等の処理を施し、映像信号、音声信号、番組関連情報等の付加データ信号が多重化された信号を出力する。
【００１３】
分離部１０２は、チューナ部１０１から出力信号にデマルチプレクス処理を施し、映像信号、音声信号、付加データ信号に分離する。デコード部１０３は、分離部１０２により分離された映像信号および音声信号を、それぞれデコード（復号化）する。音声出力部１０４は、デコード部１０３によりデコードされた音声信号を、スピーカへ出力する。このスピーカは、放送受信装置１００に内蔵される構成であってもよいし、放送受信装置１００の外部に設けられる構成であってもよい。
【００１４】
合成部１０５は、デコード部１０３によりデコードされた映像信号に、後述するＵＩ制御部１０７から入力されるグラフィックスデータを合成して出力する。合成部１０５により合成処理が施された映像信号は、映像出力部１０６を介して表示パネルへ出力される。この表示パネルは、放送受信装置１００に内蔵される構成であってもよいし、放送受信装置１００の外部に設けられる構成であってもよい。
【００１５】
リモコン受信部１０８は、リモコンからの指示信号を受信して、ＵＩ制御部１０７に伝達する。ＵＩ（ユーザ・インタフェース）制御部１０７は、指示信号にしたがって、ユーザへ提示するメニュー画面や、デジタル放送信号を利用して配信される番組コンテンツのダウンロード予約画面等のグラフィックスデータを生成する。
【００１６】
ダウンロード予約部１０９は、ダウンロード予約画面でユーザに指定された番組コンテンツのダウンロード予約を行う。このダウンロード予約部１０９は、ドラマやアニメのように連続する複数話の番組コンテンツで構成されるシリーズ番組コンテンツをダウンロードする予約を行う機能を有する。また、ダウンロード予約部１０９は、シリーズ番組コンテンツを構成する複数話の番組コンテンツをユーザがどの視聴モードで視聴するかを設定する機能を有する。具体的には、ダウンロード予約画面において、全話を連続してまとめて視聴する連続視聴モードや、１日に１話ずつ視聴する１日１話視聴モード等、どの視聴モードでシリーズ番組コンテンツ視聴するかをユーザに問い合わせる。
【００１７】
記憶部１１１は、分離部１０２により分離された番組関連情報を取得して記憶する。番組関連情報は、デジタル放送信号を利用して配信される予定のシリーズ番組コンテンツについて、番組コンテンツの識別情報、全部で何話の番組コンテンツで構成されるのかを示す話数情報、各話の番組コンテンツの時間長を示す時間情報、シリーズ番組コンテンツが一括で配信される開始日時および終了日時を示す配信スケジュール情報等を含む。
【００１８】
視聴予定スケジュール決定部１１２は、ダウンロード予約画面でユーザに指定されたシリーズ番組コンテンツに関する番組関連情報を記憶部１１１から読み出して、シリーズ番組コンテンツの視聴予定スケジュールを決定する。具体的には、シリーズ番組コンテンツの話数情報、各話の番組コンテンツの時間情報、配信スケジュール情報を読み出し、連続視聴モードと１日１話視聴モードのそれぞれの視聴モードで各話の番組コンテンツを視聴する開始予定日時および終了予定日時を決定する。この視聴予定スケジュール決定処理については、後で詳しく説明する。
【００１９】
ダウンロードスケジュール決定部１１３は、ダウンロード予約画面でユーザに指定されたシリーズ番組コンテンツに関する配信スケジュール情報を記憶部１１１から読み出す。さらに、視聴予定スケジュール決定部１１２で算出された視聴予定スケジュール情報を取得する。そして、配信スケジュールと視聴予定スケジュールとから、シリーズ番組コンテンツを構成する各話の番組コンテンツをダウンロードするダウンロードスケジュールを決定する。具体的には、連続視聴モードと１日１話視聴モードのそれぞれの視聴モードでシリーズ番組コンテンツを視聴する場合における、各話の番組コンテンツをダウンロードする開始日時を決定する。また、このダウンロードスケジュール決定部１１３は、連続視聴モードと１日１話視聴モードのそれぞれの視聴モードで必要な記録容量も算出する。このダウンロードスケジュール決定処理については、後で詳しく説明する。
【００２０】
ダウンロード予約部１０９は、視聴予定スケジュール決定部１１２により決定された視聴予定スケジュール、ダウンロードスケジュール決定部１１３により決定されたダウンロードスケジュールおよび各視聴モードで必要な記録容量をＵＩ制御部１０７に伝達する。ＵＩ制御部１０７は、ダウンロード予約画面にそれらの伝達された情報を表示させる。このダウンロード予約画面で、ユーザが連続視聴モードと１日１話視聴モードのうち自分の視聴ペースに合った視聴モードを選択する。ダウンロード予約部１０９は、ダウンロード予約されたシリーズ番組コンテンツの識別情報、および選択された視聴モードに対応するダウンロードスケジュール情報を蓄積制御部１１４に伝達する。
【００２１】
蓄積制御部１１４は、ダウンロード予約されたシリーズ番組コンテンツを、伝達されたダウンロードスケジュールにしたがって、チューナ部１０１を介してダウンロードして、蓄積部１１５へ蓄積する制御を行う。また、蓄積する際に、必要に応じて暗号化処理を行う。デジタル放送信号を利用して配信される番組コンテンツは、例えばある特定のチャンネルでＩＰパケット化して伝送される。
【００２２】
再生制御部１１６は、リモコン受信部１０８およびＵＩ制御部１０７を介してユーザから再生指示を受けた番組コンテンツを、蓄積部１１５から読み出し、分離部１０２へ出力する。また、出力する際に、必要に応じて暗号を解除する処理を行う。再生制御部１１６は、再生が終了した番組を蓄積部１１５から適宜削除する制御も行う。
【００２３】
図２は、視聴予定スケジュール決定部１１２による連続視聴モードに対応する視聴予定スケジュールの決定処理について説明するためのフロー図である。また、図３は、連続視聴モードに対応する視聴予定スケジュールおよびダウンロードスケジュールについて説明するための図である。図２および図３を用いて、連続視聴モードに対応する視聴予定スケジュールの決定処理について説明する。
【００２４】
まず、視聴予定スケジュール決定部１１２は、ステップＳ２０１で、ダウンロード予約画面でユーザに指定されたシリーズ番組コンテンツの話数情報、各話の番組コンテンツの時間長を示す時間情報、配信スケジュール情報を記憶部１１１から取得する。ここでは、シリーズ番組コンテンツが全部で１０話の番組コンテンツで構成され、各話の番組コンテンツの時間長が１時間であるものとする。また、シリーズ番組コンテンツの全話分の番組コンテンツが、１０月１日９時から９時３０までの時間帯、１２時３０分から１３時までの時間帯、１６時３０分から１７時までの時間帯に、繰り返し配信されるものとする。
【００２５】
次に、視聴予定スケジュール決定部１１２は、ステップＳ２０２で、Ｎ＝１に設定した後、ステップＳ２０３に進む（Ｎは１以上の整数値を取り得るものとする）。ステップＳ２０３で、直近の第１回目の配信の終了日時（１０月１日９時３０分）を、第Ｎ話（第１話）の番組コンテンツの視聴開始予定日時として決定する。続いて、ステップＳ２０４で、第Ｎ話（第１話）の番組コンテンツの視聴開始予定日時（１０月１日９時３０分）に、第Ｎ話（第１話）の番組コンテンツの時間長（１時間）を足した日時（１０月１日１０時３０分）を、第Ｎ＋１話（第２話）の番組コンテンツの視聴開始予定日時として決定する。なお、この第Ｎ＋１話（第２話）の番組コンテンツの視聴開始予定日時（１０月１日１０時３０分）は、第Ｎ話（第１話）の番組コンテンツの視聴終了予定日時として決定される。つまり、１０月１日９時３０分から１０月１日１０時３０分までの期間が、第１話の番組コンテンツの視聴予定期間となる。
【００２６】
次に、ステップＳ２０５で、第Ｎ＋１話が最終話であるかどうかを判定し、まだ最終話まで処理が進んでいない場合は、ステップＳ２０６に進む。第Ｎ＋１話が最終話であるか否かは、記憶部１１１から取得された話数情報を用いて判別される。ステップＳ２０６で、Ｎをインクリメント（つまり、Ｎ＝２に設定）して、ステップＳ２０４に戻る。そして、最終話（第１０話）の番組コンテンツの視聴開始予定日時（１０月１日１８時３０分）を決定するまで、ステップＳ２０４からステップＳ２０６の処理を繰り返す。
【００２７】
図４は、視聴予定スケジュール決定部１１２による１日１話視聴モードに対応する視聴予定スケジュールの決定処理について説明するためのフロー図である。また、図５は、１日１話視聴モードに対応する視聴予定スケジュールおよびダウンロードスケジュールについて説明するための図である。図４および図５を用いて、１日１話視聴モードに対応する視聴予定スケジュールの決定処理について説明する。
【００２８】
まず、視聴予定スケジュール決定部１１２は、ステップＳ３０１で、ダウンロード予約画面でユーザに指定されたシリーズ番組コンテンツの話数情報、各話の番組コンテンツの時間長を示す時間情報、配信スケジュール情報を記憶部１１１から取得する。ここでは、シリーズ番組コンテンツの全話分の番組コンテンツが、１０月１日から３日までの各日において、９時から９時３０までの時間帯、１２時３０分から１３時までの時間帯、１６時３０分から１７時までの時間帯に、繰り返し配信されるものとする。さらに、１０月４日および５日の各日において、９時から９時３０までの時間帯、１２時３０分から１３時までの時間帯に配信され、１０月６日および７日の各日において、９時から９時３０までの時間帯に配信されるものとする。
【００２９】
次に、視聴予定スケジュール決定部１１２は、ステップＳ３０２で、Ｎ＝１に設定した後、ステップＳ３０３に進み、直近の第１回目の配信の終了日時（１０月１日９時３０分）を、第Ｎ話（第１話）の番組コンテンツの視聴開始予定日時として決定する。続いて、ステップＳ３０４で、第Ｎ話（第１話）の番組コンテンツの視聴開始予定日時（１０月１日９時３０分）に、２４時間（所定の時間長）を足した日時（１０月２日９時３０分）を、第Ｎ＋１話（第２話）の番組コンテンツの視聴開始予定日時として決定する。なお、この第Ｎ＋１話（第２話）の番組コンテンツの視聴開始予定日時（１０月２日９時３０分）は、第Ｎ話（第１話）の番組コンテンツの視聴終了予定日時として決定される。つまり、１０月１日９時３０分から１０月２日９時３０分までの期間が、第１話の番組コンテンツの視聴予定期間となる。
【００３０】
次に、ステップＳ３０５で、第Ｎ＋１話が最終話であるかどうかを判定し、まだ最終話まで処理が進んでいない場合は、ステップＳ３０６に進む。第Ｎ＋１話が最終話であるか否かは、記憶部１１１から取得された話数情報を用いて判別される。ステップＳ３０６で、Ｎをインクリメント（つまり、Ｎ＝２に設定）して、ステップＳ３０４に戻る。そして、最終話（第１０話）の番組コンテンツの視聴開始予定日時（１０月１０日９時３０分）を決定するまで、この処理を繰り返す。
【００３１】
図６は、ダウンロードスケジュール決定部１１３による各視聴モードのダウンロードスケジュールの決定処理について説明するためのフロー図である。ここでは、まず連続視聴モードのダウンロードスケジュールを決定し、その後に１日１話視聴モードのダウンロードスケジュールを決定するものとして説明する。
【００３２】
まず、ダウンロードスケジュール決定部１１３は、ステップＳ４０１で、ダウンロード予約画面でユーザに指定されたシリーズ番組コンテンツの配信スケジュール情報を記憶部１１１から取得する。また、視聴予定スケジュール決定部１１２によって決定された連続視聴モードに対応する視聴予定スケジュール情報を取得する。
【００３３】
次に、ステップＳ４０２で、Ｍ＝１に設定した後、ステップＳ４０３に進む（Ｍは１以上の整数値を取り得るものとする）。ステップＳ４０３で、「第Ｍ回目の配信終了日時≦視聴開始予定日時＜第Ｍ＋１回目の配信終了日時」の条件を満たす視聴開始予定日時を有する番組コンテンツがあるか否かを判別する。条件を満たす視聴開始予定日時を有する番組コンテンツがあると判別された場合は、ステップＳ４０５に進む。そして、ステップＳ４０５で、「第Ｍ回目の配信終了日時≦視聴開始予定日時＜第Ｍ＋１回目の配信終了日時」の条件を満たす視聴開始予定日時を有する番組コンテンツを選択する。図３に示すように、連続視聴モードについては、「第Ｍ回目（第１回目）の配信終了日時≦視聴開始予定日時＜第Ｍ＋１回目（第２回目）の配信終了日時」の条件を満たす視聴開始予定日時を有する第１話から第４話までの番組コンテンツが選択される。
【００３４】
次に、ステップＳ４０６で、第Ｍ回目（第１回目）の配信開始日時（１０月１日９時を、選択した第１話から第４話までの番組コンテンツのダウンロード開始日時として決定する。続いて、ステップＳ４０７で、第Ｍ＋１回目が最後の配信か否かを判別する。第Ｍ＋１回目（第２回目）がまだ最後の配信ではない場合は、ステップＳ４０４でＭをインクリメント（つまり、Ｍ＝２に設定）した後、ステップＳ４０３に戻る。なお、ステップＳ４０３で、条件を満たす視聴開始予定日時を有する番組コンテンツがないと判別された場合も、ステップＳ４０４に進み、ステップＳ４０４でＭをインクリメントした後、ステップＳ４０３に戻る。第Ｍ＋１回目が最後の配信となるまで、ステップＳ４０３からステップＳ４０７までの処理が繰り返される。この結果、第２回目の配信開始日時（１０月１日１２時３０分）が、第５話から第８話までの番組コンテンツのダウンロード開始日時として決定される。また、第３回目の配信開始日時（１０月１日１４時３０分）が、第９話から第１０話までの番組コンテンツのダウンロード開始日時として決定される。
【００３５】
そして、ステップＳ４０７で、第Ｍ＋１回目の配信が最後であると判別されると、ステップＳ４０８に進む。ステップＳ４０８では、第Ｍ＋１回目の配信開始日時を、未だダウンロード開始日時が決定されていない番組コンテンツのダウンロード開始日時として決定する。ここでは、第１５回目の配信が最後であるものとする。図３に示すように、連続視聴モードについては、ステップＳ４０８の時点で未だダウンロード開始日時が決定されていない番組コンテンツのダウンロードはないため、第１５回目の配信開始日時はダウンロード開始日時とはされない。
【００３６】
このようにして、第２回目の配信終了日時以降の視聴開始予定日時を有する番組コンテンツがある場合は、シリーズ番組コンテンツを構成する複数話の番組コンテンツが複数回に分けてダウンロードされる。また、「第Ｍ回目の配信終了日時≦視聴開始予定日時＜第Ｍ＋１回目の配信終了日時」の条件を満たす視聴開始予定日時を有する番組コンテンツが複数ある場合は、それらの複数の番組コンテンツを一括でダウンロードされる。また、図３には例示していないが、第２回目の配信終了日時以降の視聴開始予定日時を有する番組コンテンツがない場合は、シリーズ番組コンテンツを構成する複数話の番組コンテンツが全て一括でダウンロードされることになる。
【００３７】
次に、ダウンロードスケジュール決定部１１３は、ステップＳ４０９で、連続視聴モードにおいて最低限必要な空き容量を算出する。具体的には、まず、決定されたダウンロード開始日時１０月１日９時、１２時３０分、１４時３０分のうち、ダウンロードに必要な記録容量が最も大きな日時を特定する。ここでは、１話分の番組コンテンツのダウンロードに必要な記録容量を１０ＧＢ（ギガバイト）とする。図３に示した例の場合は、ダウンロード開始日時１０月１日９時、１２時３０分について、４話分の番組コンテンツのダウンロードに必要な記録容量は４０ＧＢとなる。また、ダウンロード開始日時１４時３０分について、２話分の番組コンテンツのダウンロードに必要な記録容量は２０ＧＢとなる。よって、ダウンロード開始日時１０月１日９時または１２時３０分が、ダウンロードに必要な記録容量が最も大きな日時として特定され、最低限必要な空き容量は４０ＧＢとなる。ユーザが視聴し終わった番組コンテンツを自動的に削除（または外部の記録装置にムーブ）するようにした場合は、最低限４０ＧＢの空き容量があれば、視聴予定スケジュール通りに各話の番組コンテンツを視聴することができる。
【００３８】
次に、１日１話視聴モードのダウンロードスケジュールを決定する場合の処理について、図６を用いて説明する。ただし、連続視聴モードのダウンロードスケジュールを決定する場合の処理と重複する内容は、説明を繰り返さない。
【００３９】
ステップＳ４０１からステップＳ４０３までの動作は、連続視聴モードの場合と同様である。ステップＳ４０５において、１日１話視聴モードでは、「第Ｍ回目（第１回目）の配信終了日時≦視聴開始予定日時＜第Ｍ＋１回目（第２回目）の配信終了日時」の条件を満たす視聴開始予定日時を有する第１話の番組コンテンツが選択される。
【００４０】
次に、ステップＳ４０６で、第Ｍ回目（第１回目）の配信開始日時（１０月１日９時を、選択した第１話の番組コンテンツのダウンロード開始日時として決定する。続いて、ステップＳ４０７で、第Ｍ＋１回目が最後の配信か否かを判別する。第Ｍ＋１回目（第２回目）がまだ最後の配信ではない場合は、ステップＳ４０４でＭをインクリメント（つまり、Ｍ＝２に設定）した後、ステップＳ４０３に戻る。
【００４１】
ステップＳ４０３で、「第２回目の配信終了日時≦視聴開始予定日時＜第３回目の配信終了日時」の条件を満たす視聴開始予定日時を有する番組コンテンツがないと判別されると、ステップＳ４０４に進む。そして、ステップＳ４０４でＭをインクリメント（つまり、Ｍ＝３に設定）した後、再びステップＳ４０３に戻る。さらに、「第３回目の配信終了日時≦視聴開始予定日時＜第４回目の配信終了日時」の条件を満たす視聴開始予定日時を有する番組コンテンツがないと判別されると、ステップＳ４０４に進む。そして、ステップＳ４０４でＭをインクリメント（つまり、Ｍ＝４に設定）した後、再びステップＳ４０３に戻る。次に、ステップＳ４０３で、「第４回目の配信終了日時≦視聴開始予定日時＜第５回目の配信終了日時」の条件を満たす視聴開始予定日時を有する番組コンテンツがあると判別されると、ステップＳ４０５に進む。そして、ステップＳ４０５において、「第４回目の配信終了日時≦視聴開始予定日時＜第５回目の配信終了日時」の条件を満たす視聴開始予定日時を有する第２話の番組コンテンツが選択される。
【００４２】
次に、ステップＳ４０６で、第４回目の配信開始日時（１０月２日９時を、選択した第２話の番組コンテンツのダウンロード開始日時として決定する。このようにして、第Ｍ＋１回目が最後の配信となるまで、ステップＳ４０３からステップＳ４０７までの処理が繰り返される。この結果、第７回目の配信開始日時（１０月３日９時分）が、第３話の番組コンテンツのダウンロード開始日時として決定される。また、第１０回目の配信開始日時（１０月４日９時分）が、第４話の番組コンテンツのダウンロード開始日時として決定される。また、第１２回目の配信開始日時（１０月５日９時分）が、第５話の番組コンテンツのダウンロード開始日時として決定される。また、第１４回目の配信開始日時（１０月６日９時分）が、第６話および第７話の番組コンテンツのダウンロード開始日時として決定される。
【００４３】
その後、ステップＳ４０７で、第１５回目の配信が最後であると判別されると、ステップＳ４０８に進む。ステップＳ４０８では、第１５回目の最後の配信開始日時（１０月８日９時分）を、未だダウンロード開始日時が決定されていない残りの第８話から第１０話までの番組コンテンツのダウンロード開始日時として決定する。
【００４４】
次に、ダウンロードスケジュール決定部１１３は、ステップＳ４０９で、１日１話視聴モードにおいて最低限必要な空き容量を算出する。具体的には、まず、決定されたダウンロード開始日時１０月１日９時、１０月２日９時、１０月３日９時、１０月４日９時、１０月５日９時、１０月６日９時、１０月８日９時のうち、ダウンロードに必要な記録容量が最も大きな日時を特定する。図５に示した例の場合は、ダウンロード開始日時１０月１日９時〜１０月５日９時について、１話分の番組コンテンツのダウンロードに必要な記録容量は１０ＧＢとなる。また、ダウンロード開始日時１０月６日９時について、２話分の番組コンテンツのダウンロードに必要な記録容量は２０ＧＢとなる。また、ダウンロード開始日時１０月８日９時について、３話分の番組コンテンツのダウンロードに必要な記録容量は３０ＧＢとなる。よって、ダウンロード開始日時１０月８日９時が、ダウンロードに必要な記録容量が最も大きな日時として特定され、最低限必要な空き容量は３０ＧＢとなる。ユーザが視聴し終わった番組コンテンツを自動的に削除（または外部の記録装置にムーブ）するようにした場合は、最低限３０ＧＢの空き容量があれば、視聴予定スケジュール通りに各話の番組コンテンツを視聴することができる。
【００４５】
図７は、ユーザに提示されるダウンロード予約画面の例を示す図である。ダウンロード予約画面では、番組タイトル「○○○」のシリーズ番組コンテンツの話数が１０話であることが表示される。シリーズ全話を一括でダウンロード予約する場合、ユーザはリモコンを操作して、「はい」ボタンを選択する。このダウンロード予約画面では、連続視聴モードと１日１話視聴モードから自分の視聴ペースに合った視聴モードを選択するためのボタンが表示される。また、ダウンロードスケジュール決定手段１１３によって算出された、各視聴モードにおいて最低限必要な空き容量が表示される。上述したように、連続視聴モードにおいて最低限必要な空き容量４０ＧＢ、１日１話視聴モードにおいて最低限必要な空き容量３０ＧＢが表示される。また、ユーザがリモコンを操作して、連続視聴モードの「スケジュール確認」ボタンを選択すると、図３に示した連続視聴モードに対応する視聴予定スケジュールおよびダウンロードスケジュールを確認することができる。また、１日１話視聴モードの「スケジュール確認」ボタンを選択すると、図５に示した１日１話視聴モードに対応する視聴予定スケジュールおよびダウンロードスケジュールを確認することができる。
【００４６】
なお、図７に示したダウンロード予約画面において、どのようなスケジュールでシリーズ番組コンテンツを視聴するかが未定であるユーザに好適な全対応視聴モードが選択できるようにしてもよい。この全対応視聴モードが選択された場合は、全１０話分の番組コンテンツを直近の１回目の配信開始日時（１０月１日９時）に一括でダウンロードする。この場合、１０話分の番組コンテンツのダウンロードに必要な記録容量は１００ＧＢである旨を、ダウンロード予約画面に表示する。この実施の形態１では、連続視聴モードと１日１話視聴モードを例示したが、１週間１話視聴モード、週末２話視聴モード、１月５話視聴モード等、他の視聴モードがあってもよい。
【００４７】
ダウンロード予約画面で、「決定」ボタンが選択されると、ダウンロード予約部１０９によるダウンロード予約が実行される。そして、ダウンロード予約されたシリーズ番組コンテンツの識別情報、および選択された視聴モードに対応するダウンロードスケジュール情報が蓄積制御部１１４に伝達される。
【００４８】
蓄積制御部１１４は、ダウンロード予約されたシリーズ番組コンテンツの識別情報を参照し、決定されたダウンロードスケジュールにしたがって、チューナ部１０１を介して当該シリーズ番組コンテンツをダウンロードする制御を行う。具体的には、チューナ部１０１で番組コンテンツ配信用のチャンネルが選局され、ＩＰパケット化された番組コンテンツがダウンロードされ、蓄積部１１５へ蓄積される。
【００４９】
このようにして、第２回目の配信終了日時以降の視聴開始予定日時を有する番組コンテンツがある場合は、シリーズ番組コンテンツを構成する複数話の番組コンテンツが複数回に分けてダウンロードされる。また、「第Ｍ回目の配信終了日時≦視聴開始予定日時＜第Ｍ＋１回目の配信終了日時」の条件を満たす視聴開始予定日時を有する番組コンテンツがない場合は、第Ｍ回目の配信開始日時において、番組コンテンツのダウンロードは行われない。また、最後の配信終了日時以降の視聴開始予定日時を有する番組コンテンツがある場合は、最後の配信開始日時において、それらの番組コンテンツを一括でダウンロードされる。
【００５０】
したがって、この実施の形態１では、シリーズ番組コンテンツが繰り返し一括で配信される場合に、シリーズ番組コンテンツを構成する各話の番組コンテンツを適切なタイミングでダウンロードすることにより、記録容量を効率的に使用することが可能となる。
【００５１】
なお、シリーズ番組コンテンツをダウンロード予約する際に、ユーザが視聴ペースにあった視聴モードを選択する場合を例示したが、好みの視聴モードを予め設定しておけるようにしてもよい。また、ユーザの視聴履歴に基づいて、自動的に適切な視聴モードを決定する構成であってもよい。
【００５２】
（実施の形態１の変更例）
図８は、本発明の実施の形態１の変更例に係る放送受信装置２００の構成を示すブロック図である。図８の放送受信装置２００と図１の放送受信装置１００とを比較して異なる点は、ユーザの視聴ペースを監視するための視聴ペース監視部８０１が追加されている点である。以下、図１と同様の構成については同一の符号を付し、実施の形態１と同様の構成および動作については説明を省略する。
【００５３】
視聴ペース監視部８０１は、視聴予定スケジュール決定部１１２から、ダウンロード予約されたシリーズ番組コンテンツの視聴予定スケジュール情報を取得する。また、ダウロードされた番組コンテンツが再生して視聴される度に、再生制御部１１６から視聴実績日時を示す情報を取得し、視聴実績スケジュールとして記憶する。そして、視聴実績スケジュールと視聴予定スケジュールとを比較し、それらの差が所定値よりも大きい場合に、ダウンロード予約部１０９にダウンロード予約をやり直すように指示する。
【００５４】
ダウンロード予約部１０９は、ダウンロード予約をやり直す指示を受けると、視聴予定スケジュール決定部１１２に、未だ視聴されていない各話の番組コンテンツの視聴予定スケジュールの決定をやり直す指示をする。視聴予定スケジュール算出部１１２は、未だ視聴されていない各話の番組コンテンツの視聴開始予定日時および視聴終了予定日時を示す視聴予定スケジュールを決定し直す。このとき、視聴予定スケジュール算出部１１２は、既に選択されている視聴モード対応する視聴予定スケジュールを決定してもよいし、視聴実績スケジュールに合うように視聴予定スケジュールを決定してもよい。そして、ダウンロードスケジュール決定部１１３は、新たな視聴予定スケジュールに基づいて、未だダウンロードしていない各話の番組コンテンツのダウンロードする開始日時を示すダウンロードスケジュールを決定し直す。
【００５５】
ダウンロード予約部１０９は、新たなダウンロードスケジュールにしたがって、未だダウンロードしていない各話の番組コンテンツをダウンロードするよう予約を変更する。蓄積制御部１１４は、変更されたダウンロードスケジュールにしたがって、未だダウンロードしていない各話の番組コンテンツをダウンロードして、蓄積部１１５に蓄積するように制御する。
【００５６】
したがって、この実施の形態１の変更例によれば、視聴実績スケジュールに応じて、ダウンロードスケジュールを変更される。これにより、ユーザの視聴ペースの変化に対応することができる。
【００５７】
（その他の実施の形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００５８】
１００  放送受信装置
１０１  チューナ部
１０２  分離部
１０３  デコード部
１０４  音声出力部
１０５  合成部
１０６  映像出力部
１０７  ＵＩ制御部
１０８  リモコン受信部
１０９  ダウンロード予約部
１１１  記憶部
１１２  視聴予定スケジュール決定部
１１３  ダウンロードスケジュール決定部
１１４  蓄積制御部
１１５  蓄積部
１１６  再生制御部
【図１】
2011087071.tif 000003
【図２】
2011087071.tif 000004
【図３】
2011087071.tif 000005
【図４】
2011087071.tif 000006
【図５】
2011087071.tif 000007
【図６】
2011087071.tif 000008
【図７】
2011087071.tif 000009
【図８】
2011087071.tif 000010